(57)【特許請求の範囲】
【請求項１】
車台上に設けられた塵芥収容箱と、該塵芥収容箱の後方開口部に連設され、塵芥が投入される塵芥投入口が形成された塵芥投入箱とを備えた塵芥収集車において、
上記塵芥投入箱における上記塵芥投入口の上方を開閉可能に覆う側面視略三角形状の開閉式ルーフカバーと、
上記開閉式ルーフカバーに該開閉式ルーフカバーと一体に設けられ、物を収容して運搬できるように隔壁で区画された側面視略三角形状の補助収容部とを備え、
上記開閉式ルーフカバーには、上記開閉式ルーフカバーにより上記塵芥投入口の上方を閉じたままで上記補助収容部に上記物を出し入れできるように上記補助収容部を開閉可能に覆う収容部用カバーが設けられている
ことを特徴とする塵芥収集車。
【請求項２】
請求項１に記載の塵芥収集車において、
上記開閉式ルーフカバーは、左右一対のダンパーで支持されており、
上記補助収容部は、上記開閉式ルーフカバーにおける上記左右一対のダンパーの間のスペースに区画されている
ことを特徴とする塵芥収集車。
【請求項３】
請求項１又は２に記載の塵芥収集車において、
上記塵芥投入口を開閉可能に覆うスライド式投入口カバーを備え、
上記開閉式ルーフカバーを閉じた状態で、上記補助収容部の下方を上記スライド式投入口カバーがスライド移動可能に構成されている
ことを特徴とする塵芥収集車。
【発明の詳細な説明】
【技術分野】
【０００１】
本発明は、車台上に設けられた塵芥収容箱と、この塵芥収容箱の後方開口部に連設された塵芥投入箱とを備えた塵芥収集車に関し、特にその開閉式ルーフカバーに関する。
【背景技術】
【０００２】
従来より、塵芥収集車の車枠上に搭載された塵芥収容箱の後部に接続され、後面に塵芥投入口が設けられてなる塵芥投入箱が知られている。
【０００３】
例えば、特許文献１の塵芥投入箱では、塵芥投入口よりも上方部分を覆う位置にルーフカバーが設けられて、このルーフカバーにブレーキランプその他の灯具類が取り付けられている。それら灯具類の配線がルーフカバーの下面側に配設されるとともに、ルーフカバーの前縁部が、塵芥投入箱の頂部近傍に連結部材を介して取り付けられ、ルーフカバーの後縁側が上下方向に回動自在に保持されている。この塵芥投入箱では、開閉可能なルーフカバーにより、灯具類の配線の点検作業を、より安全な姿勢で容易に実施することができる。
【先行技術文献】
【特許文献】
【０００４】
【特許文献１】特開２００８−２８５３１６号公報
【発明の概要】
【発明が解決しようとする課題】
【０００５】
ところで、塵芥を収集する際には、蛍光灯など塵芥積込装置で粉砕して塵芥投入箱に積み込むのが危険な場合がある。また、乾電池など他の塵芥と分けて収集したい場合もある。
【０００６】
従来より、そのような場合に対応するために、蛍光灯や乾電池などを入れるための特別なカゴを塵芥投入箱に取り付けている。
【０００７】
そうすると、見映えが悪い上に、上記特許文献１のようなルーフカバーを開閉するときやメンテナンス時に邪魔になるという問題がある。
【０００８】
本発明は、かかる点に鑑みてなされたものであり、その目的とするところは、見映えやメンテナンス性を悪化させずに、蛍光灯など他の塵芥とは別に運搬したいものを収容することができるようにすることにある。
【課題を解決するための手段】
【０００９】
上記の目的を達成するために、この発明では、開閉式ルーフカバーの内部に補助収容部を設けた。
【００１０】
具体的には、第１の発明では、車台上に設けられた塵芥収容箱と、該塵芥収容箱の後方開口部に連設され、塵芥が投入される塵芥投入口が形成された塵芥投入箱とを備えた塵芥収集車を前提とし、
上記塵芥収集車は、
上記塵芥投入箱における上記塵芥投入口の上方を開閉可能に覆う側面視略三角形状の開閉式ルーフカバーと、
上記開閉式ルーフカバーに該開閉式ルーフカバーと一体に設けられ、物を収容して運搬できるように隔壁で区画された側面視略三角形状の補助収容部とを備え、
上記開閉式ルーフカバーには、上記開閉式ルーフカバーにより上記塵芥投入口の上方を閉じたままで上記補助収容部に上記物を出し入れできるように上記補助収容部を開閉可能に覆う収容部用カバーが設けられている。
【００１１】
上記の構成によると、蛍光灯や乾電池などの物を他の塵芥とは別に運搬したい場合に開閉式ルーフカバーに一体に設けた補助収容部に収容できる。このため、開閉式ルーフカバーの上やその周辺にカゴを設ける必要がなくなるので、見映えがよくなり、開閉式ルーフカバーを開けてメンテナンスする際にも邪魔にならない。また、収納用カバーを開けば、開閉式ルーフカバーを閉じたままで補助収容部に荷物を入れることができるので、便利である。
【００１２】
第２の発明では、第１の発明において、
上記開閉式ルーフカバーは、左右一対のダンパーで支持されており、
上記補助収容部は、上記開閉式ルーフカバーにおける上記左右一対のダンパーの間のスペースに区画されている。
【００１３】
上記の構成によると、補助収容部を一対のガスダンパーの間に設けたので、一対のガスダンパー間のスペースの有効利用が可能となる。
【００１４】
第３の発明では、第１又は第２の発明において、
上記塵芥投入口を開閉可能に覆うスライド式投入口カバーを備え、
上記開閉式ルーフカバーを閉じた状態で、上記補助収容部の下方を上記スライド式投入口カバーがスライド移動可能に構成されている。
【００１５】
上記の構成によると、スライド式投入口カバーのスライドを阻害することなく、スペースを有効利用して蛍光灯などを補助収容部に収容できる。
【発明の効果】
【００１６】
以上説明したように、本発明によれば、塵芥投入口の上方を開閉可能に覆う開閉式ルーフカバーの内部に区画された補助収容部を設けたことにより、見映えやメンテナンス性を悪化させずに、蛍光灯など他の塵芥とは別に運搬したいものを簡単に収容することができる。
【図面の簡単な説明】
【００１７】
【図１】塵芥収集車を示す側面図である。
【図２】塵芥投入箱を示す斜視図である。
【図３】塵芥投入箱を示す側面図である。
【図４】塵芥投入箱を示す背面図である。
【図５】サイドカバー及び開閉式ルーフカバーを開いた状態の塵芥投入箱を示す斜視図である。
【図６】ルーフカバーを拡大して示す側面図である。
【図７】ルーフカバーを図６のVII方向から見た矢視図である。
【発明を実施するための形態】
【００１８】
以下、本発明の実施形態を図面に基づいて説明する。
【００１９】
図１は本発明の実施形態の塵芥収集車１を示し、この塵芥収集車１は、車台２上に設けられた塵芥収容箱３を備えている。この塵芥収容箱３の後方開口部４には、図２から図５に示すように、塵芥が投入される塵芥投入口５が形成された塵芥投入箱６が連設されている。図５にサイドカバー９を開いて示すように、塵芥投入箱６は、例えば傾動シリンダ７により、傾動可能となっている。詳しくは図示しないが、塵芥投入箱６内には、例えばパックシリンダ８等により駆動され、塵芥収容箱３に塵芥を詰め込むプレス式の塵芥積込装置が内蔵されている。この塵芥積込装置は、例えば、塵芥投入口５の周縁に設けられた操作盤１０で操作可能となっている。塵芥積込装置は、回転板式や遊星歯車式でもよい。
【００２０】
塵芥投入口５は、板状の投入口カバー１１で覆われており、この投入口カバー１１を上下にスライドさせることで、塵芥投入口５が開閉可能となっている。
【００２１】
例えば、塵芥投入箱６の左右両側には、テールランプ１２が設けられ、塵芥投入口５の下方には、作動停止装置１３が設けられている。
【００２２】
そして、本発明の特徴として、図６にも示すように、塵芥投入箱６における塵芥投入口５の上方が開閉式ルーフカバー２０で開閉可能に覆われている。この開閉式ルーフカバー２０は、図３に示すように、側面視で略三角形状であり、後面２０ａがほぼ鉛直となっている。開閉式ルーフカバー２０は、例えば、図５に示すように、ガスダンパー２０ｂで支持され、ヒンジ２０ｃを介して塵芥投入箱６の後面側上部に連結されている。この開閉式ルーフカバー２０の後面２０ａには、後述する複数の付属品収納部２２ａ，２３ａ，２４ａが形成されており、後面２０ａ全体が、例えば透明なアクリル板等よりなる保護カバー２１で覆われている。なお見やすくするために、図２以外では、保護カバー２１は省略している。保護カバー２１は、透明ではなく半透明としてもよし、アクリル板以外の樹脂板や強化ガラス板でもよい。
【００２３】
例えば、後面２０ａの左右に間隔を空けて設けた第１付属品収納部２２ａには作業灯２２が収容されており、作業時の塵芥投入口５及びその周辺を照らすことができるようになっている。また、後面２０ａの左右中央に凹陥された第２付属品収納部２３ａにバックアイカメラ２３が収納されており、後方の画像を撮影できるようになっている。また、後面２０ａの背面から見て右側の第１付属品収納部２２ａと第２付属品収納部２３ａとの間に凹陥された第３付属品収納部２４ａに作業表示看板２４が収納されている。この作業表示看板２４は、矩形板状のプレートに例えば、作業中の文字が浮き上がるようにＬＥＤ素子等が配列されている。さらに、保護カバー２１の背面から見て左側における第１付属品収納部２２ａと第２付属品収納部２３ａとの間には、表面側にナンバープレート２５を取り付けるためのプレート用ブラケット２５ａが固定されている。
【００２４】
本発明の特徴として、図６及び図７に示すように、開閉式ルーフカバー２０の内部には、物を収容して運搬できるように隔壁で区画された補助収容部３０が形成されている。図６にハッチングで示すように、補助収容部３０は、側方から見て略三角形状であり、図７に示すように、法線方向（図６に示すVII方向）から見て矩形状であるが、必ずしもこの形状に限定されず、開閉式ルーフカバー２０の内部に設けられるのであれば、どのような形状でもよい。
【００２５】
開閉式ルーフカバー２０には、補助収容部３０を覆う開閉可能な略矩形板状の収容部用カバー３１が設けられている。この収容部用カバー３１は、例えば、金属製のヒンジ３１ａを介して開閉式ルーフカバー２０に連結されており、この収容部用カバー３１を開けば、開閉式ルーフカバー２０を閉じたままで補助収容部３０に荷物を入れることができるようになっている。収容部用カバー３１は、開閉を容易にするための取っ手３１ｂを設けたり、閉じ状態をロックするロック部（図示せず）を設けたりしてもよい。例えば、他の塵芥と共に塵芥収容箱３に積み込むのが危険である蛍光灯や特別な廃棄処理が必要な乾電池等を補助収容部３０に収容することができる。これらは他の塵芥に比べてスペースを取らないので、補助収容部３０の厚さが制限されていても収容可能である。例えば、収容部用カバー３１を開いたときに、バックアイカメラ２３や作業表示看板２４の配線が見えるようにして配線を容易にすることもできるし、逆にこれらの配線が補助収容部３０内に露出しないようにして見映えをよくすると共に、これらの配線が損傷しないようにしてもよい。
【００２６】
また、開閉式ルーフカバー２０を閉じた状態で、補助収容部３０の下方をスライド式の投入口カバー１１がスライド移動可能に構成されている。言い換えれば、補助収容部３０の底面は、投入口カバー１１のスライド軌跡上まで膨らむことはない。このため、スライド式投入口カバー１１のスライドを阻害することなく、蛍光灯などを補助収容部３０に収容できる。
【００２７】
さらに、補助収容部３０を一対のガスダンパー２０ｂの間に設けたので、一対のガスダンパー２０ｂ間のスペースの有効利用が可能となる。
【００２８】
そして、開閉式ルーフカバー２０の上方の塵芥投入箱６の後面にＬＥＤランプ２６が固定されている。このＬＥＤランプ２６は、開閉式ルーフカバー２０ではなく、塵芥投入箱６の後面に固定されているので、開閉式ルーフカバー２０の質量が軽くなり、開閉が容易になると共に、補助収容部３０を広く設けることができるという点で有利である。
【００２９】
本実施形態では、蛍光灯や乾電池などを他の塵芥とは別に運搬したい場合に開閉式ルーフカバー２０の内部の補助収容部３０に収容できる。このため、開閉式ルーフカバー２０の上やその周辺にカゴを設ける必要がなくなるので、見映えがよくなり、開閉式ルーフカバー２０を開けてメンテナンスする際にも邪魔にならない。
【００３０】
したがって、本実施形態に係る塵芥収集車１によると、見映えやメンテナンス性を悪化させずに、蛍光灯など他の塵芥とは別に運搬したいものを収容することができる。
【００３１】
（その他の実施形態）
本発明は、上記実施形態について、以下のような構成としてもよい。
【００３２】
すなわち、上記実施形態では、収容部用カバー３１を開閉式ルーフカバー２０の上面に設けたが、収容部用カバー３１を開閉式ルーフカバー２０の下面に設けて開閉式ルーフカバー２０を開いた状態で収容部用カバー３１を開き、補助収容部３０に物を出し入れできるようにしてもよい。
【００３３】
また、上記実施形態では、付属品として、作業灯２２、バックアイカメラ２３、作業表示看板２４の例を示したが、これに限定されない。また、ナンバープレート２５は、必ずしも設けなくてもよい。
【００３４】
なお、以上の実施形態は、本質的に好ましい例示であって、本発明、その適用物や用途の範囲を制限することを意図するものではない。
【符号の説明】
【００３５】
１      塵芥収集車
２      車台
３      塵芥収容箱
４      後方開口部
５      塵芥投入口
６      塵芥投入箱
７      傾動シリンダ
８      パックシリンダ
９      サイドカバー
１０      操作盤
１１      スライド式投入口カバー
１２      テールランプ
１３      作動停止装置
２０      開閉式ルーフカバー
２０ａ    後面
２０ｂ    ガスダンパー
２０ｃ    ヒンジ
２１      保護カバー
２２      作業灯
２２ａ    第１付属品収納部
２３      バックアイカメラ
２３ａ    第２付属品収納部
２４      作業表示看板
２４ａ    第３付属品収納部
２５      ナンバープレート
２５ａ    プレート用ブラケット
２６      ＬＥＤランプ
３０      補助収容部
３１      収容部用カバー
３１ａ    ヒンジ
３１ｂ    取っ手
【図１】
0006586279.tif 000002
【図２】
0006586279.tif 000003
【図３】
0006586279.tif 000004
【図４】
0006586279.tif 000005
【図５】
0006586279.tif 000006
【図６】
0006586279.tif 000007
【図７】
0006586279.tif 000008